(57)【要約】【課題】現在、ホテルや病院などの宿泊施設では、コンテンツ提供サービスが備え付けのテレビを通じて提供されている。しかし、本サービス提供には大掛かりな設備、工事、操作機等比較的高額なコストが発生し手間を要するが、実際に訪れた利用者がその利用法を理解し、自由に利用出来るようになるには時間を要する場合が多く、利用者が馴染んでいるスマートフォン等を利用したいニーズが高まっている。【解決手段】小型コンピュータ装置とコンテンツ提供装置を、ネットワークを通じて連動させた上で、コンテンツ提供システムを実現できる前記小型コンピュータ装置であって、小型コンピュータ装置の端末ごとに関連づけされたコンテンツを、コンテンツ提供システムから受信して利用することができる機能を有し、コンテンツサービス導入の経費と時間を軽減し、また、導入の敷居が低くすることができる。【選択図】図２
2020144825.tif 000002
【特許請求の範囲】
【請求項１】
ネットワークを通じてコンテンツ提供装置と連動することで、コンテンツ提供システムを実現する小型コンピュータ装置であって、前記小型コンピュータ装置の端末ごとに関連づけされたコンテンツを、コンテンツ提供システムから受信して利用することができることを特徴とする小型コンピュータ装置。
【請求項２】
情報出力装置に情報を送信する為の情報出力用インタフェース部と、ＬＡＮ（Ｌｏｃａｌ  Ａｒｅａ  Ｎｅｔｗｏｒｋ）又はインターネットを通じて通信を行う為のネットワーク通信部と、コンテンツと設定情報を内部メモリに保存する為のデータ記憶部と、制御処理を行う制御部とを持つ、請求項１に記載の小型コンピュータ装置。
【請求項３】
前記制御部は、前記小型コンピュータ装置と、前記コンテンツ提供装置と、モバイル端末とを連動させる機能を持つとともに、前記コンテンツ提供装置から前記小型コンピュータ装置に送信されたコンテンツが、前記モバイル端末を操作することで利用できるようになる機能を有する、請求項２に記載の小型コンピュータ装置。
【請求項４】
請求項１〜３のいずれか１項に記載の小型コンピュータ装置と通信可能なモバイル端末であって、前記小型コンピュータ装置から、当該小型コンピュータ装置を特定する装置特定情報を受け取り、前記モバイル端末上で動作する設定用アプリケーションソフトウエアに、前記装置特定情報を読み込ませることで、前記設定用アプリケーションソフトウエアが、前記小型コンピュータ装置と前記コンテンツ提供装置に設定情報を送信し、前記小型コンピュータ装置と、前記コンテンツ提供装置を連動させる初期設定を完了させる機能を有するモバイル端末。
【請求項５】
前記コンテンツ提供装置から、前記小型コンピュータ装置の個と関連付けられたコンテンツを受信して表示できる前記モバイル端末であって、その受信した前記コンテンツのうち、個別コンテンツと関連づけられた、個別コンテンツ識別情報を選択することで、前記モバイル端末、及び、前記モバイル端末と連動している前記小型コンピュータ装置の前記個別コンテンツを利用することができる、請求項４に記載のモバイル端末。
【請求項６】
請求項１〜３のいずれか１項に記載の小型コンピュータ装置と、請求項４または請求項５に記載のモバイル端末を介して通信可能な設定用アプリケーションソフトウエアであって、前記小型コンピュータ装置から装置特定情報を受け取った上で、前記設定用アプリケーションソフトウエアが、小型コンピュータ装置とコンテンツ提供装置に設定情報を送信し、前記小型コンピュータ装置と、前記コンテンツ提供装置を連動させる初期設定を完了させる機能を有する設定用アプリケーションソフトウエア。
【請求項７】
請求項４または５に記載のモバイル端末に表示されたコンテンツから、定期的に送信される死活監視データを一定期間受信しなかった場合、前記モバイル端末のコンテンツの利用を停止させる機能を有する、コンテンツ提供装置。
【請求項８】
請求項１〜３のいずれか１項に記載の小型コンピュータ装置と、コンテンツ提供装置と、モバイル端末とを連動させるための初期設定を行う手段として、モバイル端末が前記小型コンピュータの装置特定情報を受信するステップと、前記モバイル端末から前記小型コンピュータ装置に設定情報を送信するステップと、前記小型コンピュータ装置から前記コンテンツ提供装置に端末登録情報を送信するステップと、前記コンテンツ提供装置から前記小型コンピュータ装置に登録完了の情報を送信するステップとを有する、コンテンツ提供システムの初期設定方法。
【請求項９】
小型コンピュータ装置と、コンテンツ提供装置と、モバイル端末とが、ネットワークを通じて連動するシステムであって、前記小型コンピュータは、前記コンテンツ提供装置からコンテンツを受信して利用できる機能を持ち、前記コンテンツ提供装置は、前記小型コンピュータの個に応じたコンテンツを、前記小型コンピュータ装置と前記モバイル端末に送信する機能を持ち、前記モバイル端末は、前記コンテンツ提供装置からコンテンツを受信して表示し、その前記コンテンツを操作することで、前記モバイル端末、及び、前記モバイル端末と連動した前記小型コンピュータ装置のコンテンツを利用することができる、コンテンツ提供システム。
【発明の詳細な説明】
【技術分野】
【０００１】  本発明は、小型コンピュータ装置とコンテンツ提供装置を、ネットワークを通じて連動させた上で、コンテンツ提供システムを実現できる小型コンピュータ装置と、モバイル端末と、設定用アプリケーションと、コンテンツ提供装置と、コンテンツ提供システムの初期設定方法と、及び、コンテンツ提供システムに関する。
【背景技術】
【０００２】  不特定多数の人が利用し、かつ、情報出力装置（テレビ、モニタ）を複数台設置する施設（ホテル、病院）でのコンテンツ配信サービスは、コンテンツ受信・再生用機器（セット・トップ・ボックス）を利用したコンテンツ配信サービス、もしくは、コンテンツ受信・再生用機器の一部機能を持つ専用情報出力装置を利用したコンテンツ配信サービスが、一般的に普及し利用されている。【０００３】  特許文献１は表示タイミングを考慮したコンテンツの配信方法を実現する手段であって、コンテンツを配信するための様々な形態は、コンテンツの配信のタイミングを考慮したものであり、コンテンツを表示するためのタイミングが考慮されていないため、それを解決する手段として、コンテンツ配信制御サーバ、通信ネットワーク、ユーザ端末から構成される方法で、当該プログラムに関連するコンテンツを、当該プログラムを視聴するユーザのコンテンツ表示端末に適切なタイミングで表示することを実現する。【０００４】  特許文献２はコンテンツ提供を制御するシステムであって、既存のコンテンツ提供のシステムは、コンテンツを特定のユーザにしか提供しない、或いは、コンテンツを購入したユーザにしか提供しないといった制御が行われることがあるが、このようなコンテンツの提供のシステムの導入や開発には、多大なコストや高い技術力を必要とするため、それを解決する手段として、マルチテナントシステム、コンテンツサーバ、ユーザ端末から構成される方法で、コンテンツ提供を制御するシステムの導入を容易に可能とする技術を実現する。
【先行技術文献】
【特許文献】
【０００５】
【特許文献１】特開２０１５−１３９０７８号公報
【特許文献２】特開２０１５−１９１３０５号公報
【発明の概要】
【発明が解決しようとする課題】
【０００６】  現在、ホテルや病院などの宿泊施設では、コンテンツ提供サービスが備え付けのテレビを通じて提供されている。しかし、本サービス提供には大掛かりな設備、工事、操作機等比較的高額なコストが発生し手間を要するが、実際に訪れた利用者がその利用法を理解し、自由に利用出来るようになるには時間を要する場合が多く、利用者が馴染んでいるスマートフォン等を利用したいニーズが高まっている。【０００７】  しかし、スマートフォンでは画面サイズが小さく、４Ｋ・８Ｋ放送等の高解像度の映像サービスの提供が受けらず、複数の人間で同時にコンテンツサービスを楽しむのにも適していない。【０００８】  本発明は、上記の課題を解決する為、ネットワークを通じて、コンテンツ提供装置と連動し、コンテンツ提供システムを実現できる小型コンピュータ装置を提供することを目的とする。
【課題を解決しようとする手段】
【０００９】  上記の目的を達成するための前記小型コンピュータ装置であって、ネットワークを通じてコンテンツ提供装置（コンテンツ・マネージメント・システム、コンテンツサーバ、ストリーミングサーバ）と連動することで、前記小型コンピュータ装置の端末ごとに関連づけされたコンテンツを、コンテンツ提供システムから受信して利用することができることを特徴とする。
【００１０】  前記小型コンピュータ装置は、情報出力装置（例えば、テレビ、モニタ）に情報を送信する為の情報出力用インタフェース部と、ＬＡＮ（Ｌｏｃａｌ  Ａｒｅａ  Ｎｅｔｗｏｒｋ）又はインターネットを通じて通信を行う為のネットワーク通信部と、コンテンツと設定情報を内部メモリに保存する為のデータ記憶部（メモリ）と、制御処理を行う制御部（ＣＰＵ：Ｃｅｎｔｒａｌ  Ｐｒｏｃｅｓｓｉｎｇ  Ｕｎｉｔ）を持つ。
【００１１】  前記制御部は、前記小型コンピュータ装置と、前記コンテンツ提供装置と、モバイル端末（例えば、スマートフォン、タブレット、携帯電話）とを連動させる機能を持つとともに、前記コンテンツ提供装置から前記小型コンピュータ装置に送信されたコンテンツが、前記モバイル端末を操作することで利用できるようになる機能を有する。
【００１２】  前記小型コンピュータ装置と通信可能なモバイル端末であって、前記小型コンピュータ装置から、当該小型コンピュータ装置を特定する装置特定情報であるＱＲコード（登録商標）を受け取り、前記モバイル端末上で動作する設定用アプリケーションソフトウエアに、前記ＱＲコードを読み込ませることで、前記設定用アプリケーションソフトウエアが、小型コンピュータ装置と前記コンテンツ提供装置に設定情報を送信し、前記小型コンピュータ装置と、前記コンテンツ提供装置を連動させる初期設定を完了させる機能を有する。
【００１３】  前記モバイル端末は、前記コンテンツ提供装置から、前記小型コンピュータ装置の個と関連付けられたコンテンツを受信して表示し、その受信した前記コンテンツのうち、個別コンテンツ（例えば、動画データ、音楽データ、施設インフォメーション情報）と関連づけられた、個別コンテンツ識別情報（例えば、動画データや音楽データのサムネイル、メニュー情報）を選択することで、前記モバイル端末、及び、前記モバイル端末と連動している前記小型コンピュータ装置の前記個別コンテンツを利用することができる。
【００１４】  前記小型コンピュータ装置と、モバイル端末を介して通信可能な設定用アプリケーションソフトウエアであって、前記小型コンピュータ装置から、ＱＲコードを受け取った上で、前記設定用アプリケーションソフトウエアが、小型コンピュータ装置とコンテンツ提供装置に設定情報を送信し、前記小型コンピュータ装置と、前記コンテンツ提供装置を連動させる初期設定を完了させる機能を有する。
【００１５】  前記モバイル端末に表示されたコンテンツから、定期的に送信される死活監視データ（例えば、ＫｅｅｐＡｌｉｖｅ）を一定期間受信しなかった場合、前記モバイル端末のコンテンツの利用を停止させる機能を有する、コンテンツ提供装置。
【００１６】  小型コンピュータ装置と、コンテンツ提供装置と、モバイル端末とを連動させるための初期設定を行う手段として、前記モバイル端末が前記小型コンピュータの装置特定情報を受信するステップと、前記モバイル端末から前記小型コンピュータ装置に設定情報を送信するステップと、前記小型コンピュータ装置から前記コンテンツ提供装置に端末登録情報を送信するステップと、前記コンテンツ提供装置から前記小型コンピュータ装置に登録完了の情報を送信するステップとを有する。
【００１７】小型コンピュータ装置と、コンテンツ提供装置と、モバイル端末とが、ネットワークを通じて連動するシステムであって、前記小型コンピュータは、前記コンテンツ提供からコンテンツを受信して利用できる機能を持ち、前記コンテンツ提供装置は、前記小型コンピュータの個に応じたコンテンツを、前記小型コンピュータ装置と前記モバイル端末に送信する機能を持ち、前記モバイル端末は、前記コンテンツ提供装置からコンテンツを受信して表示し、その前記コンテンツを操作することで、前記モバイル端末、及び、前記モバイル端末と連動した前記小型コンピュータ装置のコンテンツを利用することができる。
【発明の効果】
【００１８】  本発明によれば、小型コンピュータ装置とコンテンツ提供装置を、ネットワークを通じて連動させた新しい形のコンテンツ提供システムを実現することができる。
また、施設毎に専用のサーバを必要としない。
また、環境構築を必要としない。
また、コンテンツ配信サービス導入の時間と経費を軽減できる。
また、専用の情報出力装置を必要しないため導入の敷居が低い。
更に、モバイル端末と連動させることで、モバイル端末を操作することによって情報出力装置に表示されたコンテンツを利用できる。
以上の効果のうち、１つ以上の効果を得ることができることにより、これまでにない新しい形でコンテンツ配信サービスを利用することができる。
【図面の簡単な説明】
【００１９】
【図１】本発明の実施形態となる、小型コンピュータ装置の外観図である。
【図２】小型コンピュータ装置と連動して動作するシステムの構成図である。
【図３】小型コンピュータ装置のシステムの初期設定のシーケンス図である。
【図４】小型コンピュータ装置のコンテンツサービス利用時のシーケンス図である。
【発明を実施するための形態】
【００２０】  以下、本発明の実施形態について、図を参照しながら説明する。
【００２１】  図１は、本発明の小型コンピュータ装置の外観図である。小型コンピュータ装置は、筐体内部に制御部１であるＣＰＵ（Ｃｅｎｔｒａｌ  Ｐｒｏｃｅｓｓｉｎｇ  Ｕｎｉｔ）、データ記憶部２であるメモリ、ネットワーク通信部３である無線ＬＡＮ（Ｌｏｃａｌ  Ａｒｅａ  Ｎｅｔｗｏｒｋ）、側面に情報出力用インタフェース部４であるＨＤＭＩ（登録商標）端子を備える。
【００２２】  筐体の形状は様々であり、情報出力用インタフェース部４にはＨＤＭＩ端子以外にＤコネクタやＲＧＢコネクタなど、情報出力装置（テレビ、モニタ）毎に別の接続端子を用意するのも良い。同様にネットワーク通信部３も無線ＬＡＮ以外にＥｔｈｅｒｎｅｔ（登録商標）端子を装備しているのも良い。いずれの筐体形状であっても、制御部、データ記憶部、ネットワーク通信部、情報出力用インタフェース部は必要最低限の基本構造になる。
【００２３】  図２は、小型コンピュータ装置と連動して動作するシステムの構成図である。小型コンピュータ装置１１とモバイル端末１２は同一ネットワーク上に存在する。そのネットワークは、ルータ１３を通じてインターネット１４に接続され、インターネット１４の先に、コンテンツ・マネージメント・システム１５や、サービス提供サーバ１６である、ストリーミングサーバ、コンテンツサーバ、ＷＥＢ（Ｗｏｒｌｄ  Ｗｉｄｅ  Ｗｅｂ）サーバが接続される構成となっている。
【００２４】  サービス提供サーバ１６は、インターネット１４上ではなく、ルータ１３に接続された、小型コンピュータ端末１１及びモバイル端末１２と同じネットワーク内にあるのでも良い。
【００２５】  情報の出力目的で、小型コンピュータ装置１１と情報出力装置１７が接続され、小型コンピュータ装置１１から情報出力装置１７に出力情報が送信される。
【００２６】  図３は、小型コンピュータ装置が実現するシステムの初期設定のシーケンス図であり、本動作は、本サービスを提供するサービス提供者（ホテルに設置する場合はホテル従業員、病院に設定する場合は病院職員）が初期設定を実施する際に発生する。モバイル端末２１と、表示装置２２と、小型コンピュータ装置２３と、コンテンツ・マネージメント・システム（以下、ＣＭＳという）２４間とのシーケンスを示す。小型コンピュータ装置２３の動作は、いずれの場合に於いても、情報出力装置２２に接続して電源を投入する所から始まる（Ｓ１）。電源が投入された小型コンピュータ装置２３は内部にＣＭＳの設定情報の有無を確認し（Ｓ２）、内部にＣＭＳの情報の設定が無い場合、情報出力装置２２に対して、端末設定用ＱＲコード（登録商標）を画面に映し出す（Ｓ３）。その端末設定用ＱＲコードは、小型コンピュータ装置の端末の個を特定出来る情報が埋め込まれている。
【００２７】  次に、予めモバイル端末（例えば、スマートフォン、タブレット、携帯電話）にインストールしている、設定用アプリケーションを起動（Ｓ４）して、前記端末設定用ＱＲコードをスキャンすると（Ｓ５）、設定用アプリケーションは小型コンピュータ装置の個を特定する情報を内部に取り込む。モバイル端末は、取込まれた情報に基づき小型コンピュータ装置に無線通信で接続要求（Ｓ６）を出し、モバイル端末と小型コンピュータ装置は接続される。
【００２８】  その後、設置場所を特定する情報（例えばホテルに設置する場合は部屋番号情報であったり、病院の個室に設置する場合はベッド番号情報）を設定用アプリケーションで入力し、設定操作（Ｓ７）を行う事で、設定用アプリケーションは端末設定情報（小型コンピュータ装置が接続するべきネットワーク情報と、ＣＭＳとの接続に必要な情報）を小型コンピュータ装置に転送し（Ｓ８）、小型コンピュータ装置の必要な設定を完了（Ｓ９）させる。
【００２９】  小型コンピュータ装置の設定が完了すると、次に、小型コンピュータ装置がネットワークを通じてＣＭＳに対して端末登録情報を送信し（Ｓ１０）、ＣＭＳの設定を完了させる。小型コンピュータ装置の端末の個の情報をＣＭＳに設定することによって、小型コンピュータ装置ごとに、異なるコンテンツを受信できるようになる。ＣＭＳの設定完了後、登録完了の情報が小型コンピュータ装置に送信される（Ｓ１１）。
【００３０】  設定プロセスは以上となるが、設定が完了すると、小型コンピュータ装置は、画面表示に必要なコンテンツをＣＭＳに要求し（Ｓ１２）、ＣＭＳよりコンテンツ及び表示用ＱＲコードが小型コンピュータ端末にダウンロードされ（Ｓ１３）、情報出力装置にコンテンツ及び表示用ＱＲコードが表示される（Ｓ１４）。
【００３１】  図４は小型コンピュータ装置のサービス利用時のシーケンス図であり、本動作は、本サービスを利用するサービス利用者（ホテルに設置する場合はホテルの宿泊客、病院に設置する場合は入院患者、又は、付き添い家族）がサービスを利用する際に発生する。図４には、図３をベースにサービス提供サーバ２５が付け加えられている。小型コンピュータ装置は電源起動（Ｓ２０）後、図３と同様ＣＭＳの設定情報の有無を確認し、設定情報が有った場合（Ｓ２１）、図３の設定時のシーケンスと異なり、ＣＭＳにそのままコンテンツの要求を行う（Ｓ２２）。その後、コンテンツと表示用ＱＲコードをＣＭＳより取得し（Ｓ２３）、情報出力装置の画面にそれらを表示する（Ｓ２４）。
【００３２】  利用者が、自らのモバイル端末にて表示されたＱＲコードをスキャン（Ｓ２５）すると、モバイル端末はＣＭＳに接続要求を出し（Ｓ２６）、ＣＭＳよりコンテンツと鍵を取得する（Ｓ２７）。モバイル端末からの接続要求に対して、ＣＭＳで条件を確認し接続拒否を行う事も良い。例えば、１台の端末しか接続させない制限を入れたり、また、過去に接続されてない端末のみを許容する判定を入れるもの良い。
【００３３】  モバイル端末上に表示されたコンテンツを利用者は利用しながら、コンテンツをモバイル端末で楽しむ。そのサービスの中に動画サービスのように、情報出力装置と連動してサービスを行うものが有る場合、例えば動画再生ボタン押下（Ｓ２８）により、ＣＭＳに動画再生信号が送られ、ＣＭＳより小型コンピュータ装置に動作命令が発行される（Ｓ２９）。
【００３４】  その動作命令を受けた小型コンピュータ装置は、その動作命令の内容に従い、本例の場合、インターネット上に設置された動画サービスを行っているコンテンツサーバに、動画のストリーミング配信の要求（Ｓ３０）し、コンテンツサーバから小型コンピュータ装置に対してストリーミング配信行われ、再生が開始される（Ｓ３１）。その再生された動画は情報出力装置の画面に表示される（Ｓ３２）。
【００３５】  その後、同様のロジックにて、動画の停止ボタンが押下（Ｓ３３）されれば、ＣＭＳ上でその信号を受け取り、小型コンピュータ装置に対して停止命令を送り（Ｓ３４）、小型コンピュータ装置はその命令に従って、前記コンテンツサーバに停止要求（Ｓ３５）を行い、コンテンツの再生は停止する事になる（Ｓ３６）。
【００３６】  動画が停止すると、表示装置の画面は（Ｓ２４）と同様、コンテンツと表示用ＱＲコードが表示された画面に戻る事になる（Ｓ３７）。利用者は、再度（Ｓ２８）より動作を行うことで、繰り返し動画を再生することができる（Ｓ３８）。
【００３７】  又、モバイル端末の接続管理上、モバイル端末上のコンテンツより定期的にＫｅｅｐＡｌｉｖｅと呼ばれる、死活監視データをＣＭＳ上に送信するのも良い（Ｓ３９）。モバイル端末のコンテンツが停止したり、又は、同一ネットワーク外に利用者が出た場合、このＫｅｅｐＡｌｉｖｅがＣＭＳに送られなくなる。
【００３８】  ＣＭＳがＫｅｅｐＡｌｉｖｅの未受信を検出する事で、例えば（Ｓ２７）にて受け取っている鍵をＣＭＳより削除し（Ｓ４０）、以降同モバイル端末がコンテンツ操作を再開して来ても（Ｓ４１）、ＣＭＳ側からは接続を拒絶し、ＱＲコードの再スキャン要求（Ｓ４２）ができるようになる。すなわち、モバイル端末に（Ｓ２７）にて渡した鍵の管理をＣＭＳ上で行う事で、利用ユーザの制限などを行う事が出来る事になる。これは、公共の場で不特定多数の利用者が同一テレビとそれぞれのモバイル端末を連動させる場合に、利用価値が高い。
【００３９】  上記、発明の実施形態は、あくまで一例であって、本発明を限定するものではない。例えば、ＱＲコードは、小型コンピュータ装置の端末の個を特定する情報を伝達できる手段であれば、他の手段でも良い。また、コンテンツ提供装置は、ＣＭＳ、コンテンツサーバ、ストリーミングサーバらを、物理的な１つのサーバーで構築しても良い。
【符号の説明】
【００４０】１  制御部（ＣＰＵ）
２  データ記憶部（メモリ）
３  ネットワーク通信部（無線ＬＡＮ）
４  情報出力用インタフェース部（ＨＤＭＩ端子）
１１  小型コンピュータ装置
１２  モバイル端末
１３  ルータ
１４  インターネット
１５  コンテンツ・マネージメント・システム（ＣＭＳ）
１６  サービス提供サーバ
１７  情報出力装置
２１  モバイル端末
２２  情報出力装置
２３  小型コンピュータ装置
２４  コンテンツ・マネージメント・システム（ＣＭＳ）
Ｓ１  電源起動
Ｓ２  ＣＭＳ設定情報なし
Ｓ３  端末設定用ＱＲコード表示
Ｓ４  設定アプリケーション起動
Ｓ５  端末設定用ＱＲコードスキャン
Ｓ６  無線接続
Ｓ７  設定操作
Ｓ８  端末設定情報信号
Ｓ９  設定完了
Ｓ１０  端末登録情報
Ｓ１１  登録完了
Ｓ１２  コンテンツ要求
Ｓ１３  コンテンツ＋表示用ＱＲコード取得
Ｓ１４  コンテンツ＋表示用ＱＲコード表示
２５  サービス提供サーバ
Ｓ２０  電源起動
Ｓ２１  ＣＭＳ設定情報あり
Ｓ２２  コンテンツ要求
Ｓ２３  コンテンツ＋表示用ＱＲコード取得
Ｓ２４  コンテンツ＋表示用ＱＲコード表示
Ｓ２５  ＱＲコードスキャン
Ｓ２６  ＣＭＳ接続要求
Ｓ２７  コンテンツ用アプリケーション＋鍵送信
Ｓ２８  動画再生ボタン押下
Ｓ２９  動作命令
Ｓ３０  ストリーミング要求
Ｓ３１  ストリーミング再生開始
Ｓ３２  動画表示
Ｓ３３  停止ボタン押下
Ｓ３４  停止命令
Ｓ３５  停止要求
Ｓ３６  停止完了
Ｓ３７  コンテンツ＋表示ＱＲコード
Ｓ３８  繰り返し
Ｓ３９  ＫｅｅｐＡｌｉｖｅ送信
Ｓ４０  鍵削除
Ｓ４１  コンテンツ操作
Ｓ４２  ＱＲコードスキャン要求
【図１】
2020144825.tif 000003
【図２】
2020144825.tif 000004
【図３】
2020144825.tif 000005
【図４】
2020144825.tif 000006